(57)【要約】      （修正有）【課題】バッテリーの過放電を防止する設定に対して照明器具とバッテリーの適合性が向上する照明装置を提供する。【解決手段】照明装置１は、バッテリー２と、光源７、点灯装置８および特定信号に応じて基準値を選択し、バッテリー２の出力電圧が選択した基準値以下のときに点灯装置８の動作を停止させるバッテリー電圧判定装置９を有する照明器具３と、バッテリー２に接続される一対の電源線２３ａ，２３ｂが接続された一対の電源接続部および複数種のバッテリー２に対応して設けられ特定信号が設定される複数個の信号接続部を有する電源コネクタ２５を備える電源ケーブル５と、一対の入力線１７ａ，１７ｂが接続された一対の入力接続部および複数本の通信線１８ａ，１８ｂが接続された通信接続部を有する接続コネクタ１９を備えて、接続コネクタ１９が電源ケーブル５の電源コネクタ２５に接続される器具ケーブル４と、を具備している。【選択図】図１
2014086396.tif 000002
【特許請求の範囲】
【請求項１】
バッテリーと；
光源と、前記バッテリーの出力電圧を入力し前記光源を点灯する点灯装置と、複数種のバッテリーの基準値を予め記憶しており、前記複数種のバッテリーのうちの前記点灯装置に接続された前記バッテリーを特定する特定信号を入力し、この特定信号に応じて当該バッテリーの前記基準値を選択し、当該バッテリーの出力電圧が選択した前記基準値以下のときに前記点灯装置の動作を停止させるバッテリー電圧判定装置とを有する照明器具と；
バッテリーに接続される一対の電源線と、この電源線が接続された一対の電源接続部および前記複数種のバッテリーに対応して設けられ前記特定信号が設定される複数個の信号接続部を有する電源コネクタとを備える電源ケーブルと；
前記点灯装置に接続される一対の入力線と、前記バッテリー判定装置に接続される複数本の通信線と、前記一対の入力線が接続された一対の入力接続部および前記複数本の通信線が接続された通信接続部を有する接続コネクタとを備える器具ケーブルと；
を具備し、前記器具ケーブルの接続コネクタが前記電源ケーブルの電源コネクタに接続されて、前記一対の電源線および前記一対の入力線により前記点灯装置に前記バッテリーの出力電圧が入力され、前記通信線により前記バッテリー電圧判定装置に前記特定信号が入力されることを特徴とするバッテリー式照明装置。
【請求項２】
前記電源ケーブルは、バッテリーの定格出力電圧が表示されていることを特徴とする請求項１記載のバッテリー式照明装置。
【発明の詳細な説明】
【技術分野】
【０００１】
本発明の実施形態は、バッテリーを電源とし、光源がバッテリーにより点灯されるバッテリー式照明装置に関する。
【背景技術】
【０００２】
可搬型の照明器具は、夜間の屋外での撮影や工事作業、建物の閉暗所での点検作業などにおいて使用されている。この照明器具は、従来、バッテリーを電源とし、光源に蛍光ランプを使用している（例えば特許文献１参照。）。しかし、近年、当該照明器具は、光源として、消費電力が小さく、発熱量が少ないＬＥＤが使用されている。
【０００３】
そして、バッテリーは、光源のＬＥＤ化に伴って、低容量に小型化されたものや定格出力電圧が低くなったものが用いられている。例えば、定格出力電圧がＤＣ２４Ｖのものに加え、ＤＣ１４．２Ｖ、ＤＣ１３．２Ｖ、ＤＣ１２Ｖなどのものが使用されている。そして、照明器具は、バッテリーの過放電を防止するために、バッテリーの出力電圧がある基準値まで低下すると、例えば光源とバッテリーとの接続を遮断させている。
【先行技術文献】
【特許文献】
【０００４】
【特許文献１】登録実装新案第３０４９１４８号公報（第５頁、第１図）
【発明の概要】
【発明が解決しようとする課題】
【０００５】
バッテリーの過放電を防止するための前記基準値は、バッテリーの定格出力電圧毎やバッテリーの種類毎に異なっている。このため、照明器具とバッテリーは、互いに適合するものを使用する必要があり、照明器具をバッテリー毎に準備しなければならず、汎用性に欠けるという問題があった。あるいは、バッテリーに対して、照明器具側で基準値の変更や設定を行う必要があった。
【０００６】
本実施形態は、バッテリーの過放電を防止する設定に対して照明器具とバッテリーの適合性が向上するバッテリー式照明装置を提供することを目的とする。
【課題を解決するための手段】
【０００７】
本実施形態のバッテリー式照明装置は、バッテリー、照明器具、電源ケーブルおよび器具ケーブルを有して構成される。
【０００８】
照明器具は、光源、点灯装置およびバッテリー電圧判定装置を有して形成される。点灯装置は、バッテリーの出力電圧を電源として入力し、光源を点灯するように形成される。
【０００９】
バッテリー電圧判定装置は、複数種のバッテリーの基準値を予め記憶している。そして、複数種のバッテリーの内、実際に接続されるバッテリーを特定する特定信号を入力し、この特定信号に応じて当該バッテリーの基準値を記憶している複数種のバッテリーの基準値から選択する。そして、バッテリーの出力電圧が選択した基準値以下のときに点灯装置の動作を停止させるように形成される。
【００１０】
電源ケーブルは、一対の電源線と、一対の電源接続部および複数個の信号接続部を有する電源コネクタとを備えてなる。一対の電源線は、バッテリーの出力に接続されるとともに、電源コネクタの一対の電源接続部に接続される。電源コネクタの複数個の信号接続部は、複数種のバッテリーに対応して設けられており、複数種のバッテリーのうちの照明器具の点灯装置に接続されるバッテリーを特定する特定信号が設定される。
【００１１】
器具ケーブルは、一対の入力線と、複数本の通信線と、一対の入力接続部および通信接続部を有する接続コネクタとを備えてなる。一対の入力線は、照明器具の点灯装置の入力に接続されるとともに、接続コネクタの一対の入力接続部に接続される。複数本の通信線は、照明器具のバッテリー電圧判定装置に接続されるとともに、接続コネクタの通信接続部に接続される。
【００１２】
そして、器具ケーブルの接続コネクタは、電源ケーブルの電源コネクタに接続される。これにより、電源ケーブルの一対の電源線および器具ケーブルの一対の入力線により照明器具の点灯装置にバッテリーの出力電圧が入力され、器具ケーブルの通信線により照明器具のバッテリー電圧判定装置にバッテリーを特定する特定信号が入力される。
【発明の効果】
【００１３】
本実施形態によれば、電源ケーブルの電源コネクタと器具ケーブルの接続コネクタとの接続により、照明器具に接続されるバッテリーを特定する特定信号が照明器具のバッテリー電圧判定装置に入力され、バッテリー電圧判定装置は、当該バッテリーの基準値を複数種のバッテリーの基準値から選択して、バッテリーの出力電圧が選択した基準値以下のときに点灯装置の動作を停止させるので、照明器具において、バッテリーの過放電を防止するための前記基準値の設定をバッテリーの種類毎に行う必要がなく、照明器具とバッテリーの適合性を向上できる。
【図面の簡単な説明】
【００１４】
【図１】本発明の第１の実施形態を示すバッテリー式照明装置の概略ブロック図である。
【図２】同上、電源コネクタおよび接続コネクタの概略ブロック図である。
【図３】本発明の第２の実施形態を示す電源コネクタおよび接続コネクタの概略ブロック図である。
【発明を実施するための形態】
【００１５】
以下、本発明の一実施の形態について、図面を参照して説明する。まず、本発明の第１の実施形態について説明する。
【００１６】
本実施形態のバッテリー式照明装置１は、図１に示すように、バッテリー２、照明器具３、器具ケーブル４および電源ケーブル５を有して構成されている。バッテリー式照明装置１は、自由に持ち運び可能な可搬型に形成されている。
【００１７】
バッテリー２は、汎用品であり、所要の容量のものが適宜選択されている。本実施形態では、バッテリー２は、その定格出力電圧が例えばＤＣ２４Ｖ、ＤＣ１４．２Ｖ、ＤＣ１３．２ＶおよびＤＣ１２Ｖのものが用いられている。例えば、ＤＣ２４Ｖ、ＤＣ１３．２ＶおよびＤＣ１２Ｖのバッテリー２は、ニッケル水素充電池からなり、ＤＣ１４．２Ｖのバッテリー２は、リチウムイオン電池からなる。また、ＤＣ１２Ｖのバッテリー２は、ニッケルカドニウム電池等であってもよい。
【００１８】
照明器具３は、手で持って照射方向を自在にできる例えば投光型に形成され、器具本体（筐体）６内に光源７、点灯装置８、バッテリー電圧判定装置９、リレー装置１０および電源装置１１を有して形成されている。光源７は、ＬＥＤが基板に実装された発光モジュールからなり、例えば白色光を放射する。
【００１９】
点灯装置８は、リレー装置１０を介して器具本体６に設けられた電源入力端子１２ａ，１２ｂに接続され、この電源入力端子１２ａ，１２ｂを介して供給されるバッテリー２の出力電圧を入力する。そして、点灯装置８は、例えば既知の昇圧チョツパなどのＤＣ−ＤＣ変換装置等により構成され、複数種のバッテリー２の出力電圧を光源７に適合する所定の直流電圧に変換して、光源７に定電流を供給するように形成されている。光源７は、定電流が流れて点灯する。
【００２０】
バッテリー電圧判定装置９は、記憶部１３および制御部１４を有して形成されている。記憶部１３は、不揮発性のメモリからなり、複数種のバッテリー２の定格出力電圧に応じた基準値を予め記憶している。例えば、ＤＣ２４Ｖの定格出力電圧に対する基準値としてＤＣ２０Ｖ、ＤＣ１４．２ＶおよびＤＣ１３．２Ｖの定格出力電圧に対する基準値としてＤＣ１２Ｖ、ＤＣ１２Ｖの定格出力電圧に対する基準値としてＤＣ１０Ｖを記憶している。基準値は、バッテリー２の放電を停止するための出力電圧の下限値を示す。
【００２１】
制御部１４は、マイコンを有して形成され、器具本体６に配設されたスイッチ１５に接続されている。制御部１４は、スイッチ１５がオンされると、リレー装置１０のリレーコイル１０ｃを付勢する。これにより、リレー装置１０のリレー接点１０ａ，１０ａ間およびリレー接点１０ｂ，１０ｂ間がそれぞれ閉路して点灯装置８が電源入力端子１２ａ，１２ｂに接続される。スイッチ１５がオフされると、制御部１４により、リレー装置１０のリレーコイル１０ｃが消勢され、リレー接点１０ａ，１０ａ間およびリレー接点１０ｂ，１０ｂ間がそれぞれ開路して点灯装置８が電源入力端子１２ａ，１２ｂに接続されなくなる。
【００２２】
また、制御部１４は、電源入力端子１２ａ，１２ｂおよび器具本体６に設けられた複数個本実施形態では２個の通信入力端子１６ａ，１６ｂにそれぞれ接続されている。制御部１４は、電源入力端子１２ａ，１２ｂからバッテリー２の出力電圧を入力するとともに、通信入力端子１６ａ，１６ｂから当該バッテリー２の定格出力電圧を特定する特定信号を入力する。そして、制御部１４は、入力した特定信号から電源入力端子１２ａ，１２ｂ（点灯装置８）に接続されたバッテリー２の基準値を記憶部１３から選択する。そして、電源入力端子１２ａ，１２ｂ（点灯装置８）に入力するバッテリー２の出力電圧と選択した基準値とを比較して、当該バッテリー２の出力電圧が選択した基準値以下のときにリレー装置１０のリレーコイル１０ｃを消勢するように形成されている。すなわち、電源入力端子１２ａ，１２ｂと点灯装置８との接続を遮断して、点灯装置８の動作を停止させるように形成されている。
【００２３】
なお、電源入力端子１２ａ，１２ｂおよび通信入力端子１６ａ，１６ｂは、器具ケーブル４を接続可能に、器具本体６に互いに隣接するように設けられている。また、本実施形態では、バッテリー電圧判定装置９は、記憶部１３を設けず、前記基準値を制御部１４が動作するプログラムを記憶するマイコンのＲＯＭにプログラムに書き込んで設けてもよい。
【００２４】
リレー装置１０は、上述したように、バッテリー電圧判定装置９の制御部１４により、リレー接点１０ａ，１０ａ間およびリレー接点１０ｂ，１０ｂ間がそれぞれ開閉されることにより、電源入力端子１２ａ，１２ｂを介してバッテリー２と点灯装置８とを接続、遮断するものである。ここで、リレー装置１０に替えて例えば半導体スイッチを設けてもよい。
【００２５】
電源装置１１は、電源入力端子１２ａ，１２ｂ間に接続され、バッテリー２の出力電圧から所定の動作電源（直流電圧）を生成して、制御部１４等に供給するように形成されている。そして、照明器具３には、器具ケーブル４が接続されている。
【００２６】
器具ケーブル４は、一対の入力線１７ａ，１７ｂと、複数本、本実施形態では２本の通信線１８ａ，１８ｂと、接続コネクタ１９と、を有してなる。一対の入力線１７ａ，１７ｂは、バッテリー２の出力と、照明器具３の点灯装置８の入力とを接続させるものであり、相応の全長を有しており、それぞれの一端が照明器具３の電源入力端子１２ａ，１２ｂに接続されて、点灯装置８の入力に接続されている。また、２本の通信線１８ａ，１８ｂは、複数種のバッテリー２に対応して設けられたものであり、それらの一端が照明器具３の通信入力端子１６ａ，１６ｂに接続されて、バッテリー電圧判定装置９に接続されている。一対の入力線１７ａ，１７ｂのそれぞれの他端および２本の通信線１８ａ，１８ｂのそれぞれの他端は、接続コネクタ１９に接続されている。
【００２７】
接続コネクタ１９は、図２（ａ）〜図２（ｃ）に示すように、雄形コネクタに形成され、本体２０に設けられた一対の入力接続部２１ａ，２１ｂおよび２個の通信接続部２２ａ，２２ｂを有してなる。一対の入力接続部２１ａ，２１ｂおよび２個の通信接続部２２ａ，２２ｂは、それぞれ例えば円柱状のピン構造に形成されている。そして、一対の入力接続部２１ａ，２１ｂに一対の入力線１７ａ，１７ｂが接続され、２個の通信接続部２２ａ，２２ｂに２個の通信線１８ａ，１８ｂが接続されている。一対の入力線１７ａ，１７ｂおよび２個の通信線１８ａ，１８ｂは、一束されている。
【００２８】
そして、器具ケーブル４が接続される電源ケーブル５は、図１に示すように、一対の電源線２３ａ，２３ｂ、端子コネクタ２４および電源コネクタ２５を有してなる。一対の電源線２３ａ，２３ｂは、所要の全長を有しており、それぞれの一端が端子コネクタ２４に接続され、それぞれの他端が電源コネクタ２５に接続されている。端子コネクタ２４は、バッテリー２の出力電圧が出力される出力コネクタ２６に接続されている。すなわち、一対の電源線２３ａ，２３ｂは、バッテリー２の出力に接続されている。電源線２３ａは、バッテリー２の正極側出力に接続され、電源線２３ｂは、バッテリー２の負極側出力に接続されている。
【００２９】
そして、バッテリー２には、バッテリー２の種類、すなわちバッテリー２の定格出力電圧に応じた電源ケーブル５が接続される。すなわち、図２（ａ）〜図２（ｃ）に示すように、定格出力電圧ＤＣ２４Ｖのバッテリー２Ａには、電源ケーブル５Ａが接続され、定格出力電圧ＤＣ１４．２ＶまたはＤＣ１３．２Ｖのバッテリー２Ｂには、電源ケーブル５Ｂが接続され、定格出力電圧ＤＣ１２Ｖのバッテリー２Ｃには、電源ケーブル５Ｃが接続される。
【００３０】
電源ケーブル５Ａ〜５Ｃは、一対の電源線２３ａ，２３ｂおよび端子コネクタ２４が同一のものであり、一対の電源線２３ａ，２３ｂにそれぞれ異なる電源コネクタ２５Ａ〜２５Ｃが接続されている。電源コネクタ２５Ａ〜２５Ｃは、雌形コネクタに形成され、本体２７に設けられた一対の電源接続部２８ａ，２８ｂおよび複数個本実施形態では２個の信号接続部２９ａ，２９ｂを有してなる。一対の電源接続部２８ａ，２８ｂおよび２個の信号接続部２９ａ，２９ｂは、それぞれ接続コネクタ１９の一対の入力接続部２１ａ，２１ｂおよび通信接続部２２ａ，２２ｂが挿入されて電気接続される例えばハウジング構造となっている。そして、一対の電源接続部２８ａ，２８ｂに一対の電源線２３ａ，２３ｂが接続されている。
【００３１】
通信接続部２９ａ，２９ｂは、複数種のバッテリー２Ａ〜２Ｃに対応して設けられたものであり、電源接続部２８ａとの電気接続の有無に応じて異なる電源コネクタ２５Ａ〜２５Ｃ（電源ケーブル５Ａ〜５Ｃ）を形成している。すなわち、電源コネクタ２５Ａは、図２（ａ）に示すように、通信接続部２９ａ，２９ｂと電源接続部２８ａ，２８ｂとの電気接続がなく、通信接続部２９ａ，２９ｂがそれぞれ浮いている状態となっている。
【００３２】
電源コネクタ２５Ｂは、図２（ｂ）に示すように、通信接続部２９ａと電源接続部２８ａとが抵抗Ｒ１を介して電気接続され、通信接続部２９ｂが浮いている状態となっている。抵抗Ｒ１は、バッテリー２Ｂの定格出力電圧（ＤＣ１４．２ＶまたはＤＣ１３．２Ｖ）時、通信接続部２９ａの電位が所定値例えばＤＣ４〜５Ｖとなるように、その抵抗値が設定されている。また、電源コネクタ２５Ｃは、図２（ｃ）に示すように、通信接続部２９ｂが抵抗Ｒ２を介して電源接続部２８ａと電気接続され、通信接続部２９ａが浮いている状態となっている。抵抗Ｒ２は、バッテリー２Ｃの定格出力電圧（ＤＣ１２Ｖ）時、通信接続部２９ｂの電位が所定値例えばＤＣ４〜５Ｖとなるように、その抵抗値が設定されている。
【００３３】
電源ケーブル５Ａ〜５Ｃには、照明器具３に接続された器具ケーブル４が接続される。電源コネクタ２５Ａ〜２５Ｃおよび接続コネクタ１９において、一対の電源接続部２８ａ，２８ｂと一対の入力接続部２１ａ，２１ｂとが接続され、信号接続部２９ａ，２９ｂと通信接続部２２ａ，２２ｂとが接続される。これにより、バッテリー２Ａ〜２Ｃの出力電圧は、電源ケーブル５Ａ〜５Ｃの一対の電源線２３ａ，２３ｂおよび器具ケーブル４の一対の入力線１７ａ，１７ｂにより、照明器具３の点灯装置８に入力される。
【００３４】
また、電源ケーブル５Ａ〜５Ｃの信号接続部２９ａ，２９ｂの電位は、器具ケール４の通信線１８ａ，１８ｂにより、照明器具３のバッテリー電圧判定装置９の制御部１４に入力される。制御部１４は、信号接続部２９ａ，２９ｂの電位に応じて、複数種のバッテリー２Ａ〜２Ｃのうちの点灯装置８に接続されたバッテリー２を特定する。すなわち、信号接続部２９ａ，２９ｂの電位は、点灯装置８に接続されたバッテリー２を特定する特定信号となっている。当該特定信号は、上述したように、電源コネクタ２５Ａ〜２５Ｃにおいて、信号接続部２９ａ，２９ｂと電源接続部２８ａとの電気接続の有無に応じて設定されている。
【００３５】
そして、電源ケーブル５Ａ〜５Ｃの電源コネクタ２５Ａ〜２５Ｃには、バッテリー２Ａ〜２Ｃの定格出力電圧が表示された例えばシールからなる表示部３０がそれぞれ設けられている。これにより、電源ケーブル５Ａ〜５Ｃとバッテリー２Ａ〜２Ｃとを非適合に誤って接続する間違いが抑制されるとともに、照明器具３に接続されるバッテリー２Ａ〜２Ｃを容易に確認可能となっている。
【００３６】
次に、本発明の第１の実施形態の作用について説明する。
【００３７】
本実施形態において、複数種のバッテリー２Ａ〜２Ｃは、これに適合した電源ケーブル５Ａ〜５Ｃが接続された状態で使用される。すなわち、バッテリー２Ａには電源ケーブル５Ａが接続され、バッテリー２Ｂには電源ケーブル５Ｂが接続され、バッテリー２Ｃには電源ケーブル５Ｃが接続される。ここで、電源ケーブル５Ａ〜５Ｃの電源コネクタ２５Ａ〜２５Ｃには、バッテリー２Ａ〜２Ｃの定格出力電圧を表示した表示部３０が設けられているので、当該表示部３０を確認することにより、電源ケーブル５Ａ〜５Ｃが適合するバッテリー２Ａ〜２Ｃに容易に接続され、非適合のバッテリー２Ａ〜２Ｃに接続されにくくなる。
【００３８】
そして、照明器具３には、器具ケーブル４が接続される。今、照明器具３には、バッテリー２Ａが接続するものとする。照明器具３とバッテリー２Ａは、例えば夜間の作業現場において接続される。すなわち、電源ケーブル５Ａの電源コネクタ２５Ａに器具ケーブル４の接続コネクタ１９が接続される。
【００３９】
電源コネクタ２５Ａの一対の電源入力部２８ａ，２８ｂと、接続コネクタ１９の一対の入力接続部２１ａ，２１ｂが接続される。バッテリー２Ａの出力電圧は、電源ケーブル５Ａの一対の電源線２３ａ，２３ｂおよび器具ケーブル４の一対の入力線１７ａ，１７ｂにより、照明器具３の電源入力端子１２ａ，１２ｂに印加される。
【００４０】
そして、器具本体６に設けられたスイッチ１５をオンにすると、バッテリー電圧判定装置９の制御部１４の制御により、リレー装置１０のリレー接点１０ａ，１０ａ間およびリレー接点１０ｂ，１０ｂ間がそれぞれ閉路して、バッテリー２Ａの出力電圧が点灯装置８に入力する。点灯装置８は、動作し、光源７に定電流を供給する。光源７は、点灯し、白色光を放射する。そして、光源７は、スイッチ１５をオフすることにより、消灯される。
【００４１】
また、電源ケーブル５Ａと器具ケーブル４の接続により、電源コネクタ２５Ａの信号接続部２９ａ，２９ｂと、接続コネクタ１９の通信接続部２２ａ，２２ｂが接続される。信号接続部２９ａ，２９ｂのそれぞれの電位は、特定信号として器具ケーブル４の通信線１８ａ，１８ｂにより、照明器具３の通信入力端子１６ａ，１６ｂを介してバッテリー電圧判定装置９の制御部１４に入力する。
【００４２】
信号接続部２９ａ，２９ｂは、電源コネクタ２５Ａにおいて、それぞれの接続状態が浮いた状態であるので、制御部１４は、信号接続部２９ａ，２９ｂの電位が電源線２３ｂの電位とほぼ同等であると判断し、照明器具３に接続されているバッテリー２が定格出力電圧ＤＣ２４Ｖのバッテリー２Ａと判定して、当該バッテリー２Ａの基準値（ＤＣ２０Ｖ）を記憶部１３から選択する。そして、制御部１４は、電源入力端子１２ａ，１２ｂに印加するバッテリー２Ａの出力電圧と、選択した前記基準値（ＤＣ２０Ｖ）を比較する。
【００４３】
バッテリー２Ａは、光源７の点灯時間に従って次第に蓄電量が減少していき、出力電圧が次第に低下していく。そして、光源７の累積点灯時間が長時間になると、バッテリー２Ａの出力電圧は、基準値（ＤＣ２０Ｖ）まで低下する。制御部１４は、バッテリー２Ａの出力電圧が基準値（ＤＣ２０Ｖ）以下になると、リレー装置１０のリレーコイル１０ｃを消勢して、リレー接点１０ａ，１０ａ間およびリレー接点１０ｂ，１０ｂ間をそれぞれ開路させる。バッテリー２Ａの出力電圧は、点灯装置８に入力されなくなり、点灯装置８の動作が停止する。これにより、照明器具３の光源７は、消灯する。そして、バッテリー２Ａは、過放電が防止され、過放電による短寿命が防止される。
【００４４】
次に、照明器具３に接続するバッテリー２が定格出力電圧１４．２Ｖまたは１３．２Ｖであるバッテリー２Ｂの場合には、電源ケーブル５Ｂの電源コネクタ２５Ｂに器具ケーブル４の接続コネクタ１９が接続される。
【００４５】
電源コネクタ２５Ｂの一対の電源入力部２８ａ，２８ｂと、接続コネクタ１９の一対の入力接続部２１ａ，２１ｂが接続することにより、バッテリー２Ｂの出力電圧が照明器具３の電源入力端子１２ａ，１２ｂに印加する。そして、照明器具３のスイッチ１５をオンにすると、バッテリー２Ｂの出力電圧は、点灯装置８に入力する。点灯装置８は、動作して、光源７を点灯させる。
【００４６】
また、電源コネクタ２５Ｂの信号接続部２９ａ，２９ｂと、接続コネクタ１９の通信接続部２２ａ，２２ｂが接続することにより、信号接続部２９ａ，２９ｂのそれぞれの電位は、特定信号として器具ケーブル４の通信線１８ａ，１８ｂにより、照明器具３の通信入力端子１６ａ，１６ｂを介してバッテリー電圧判定装置９の制御部１４に入力する。
【００４７】
信号接続部２９ａは、抵抗Ｒ１を介して電源接続部２８ａ（電源線２３ａ）に接続され、電源線２３ｂに対して所定値例えばＤＣ４〜５Ｖの電位となっている。また、信号接続部２９ｂは、電源接続部２８ａに接続されず、浮いた状態となって、電源線２３ｂに対してほぼ０Ｖの電位となっている。したがって、照明器具３の通信入力端子１６ａには、所定値例えばＤＣ４〜５Ｖの特定信号が入力され、通信入力端子１６ｂには、ほぼ０Ｖの特定信号が入力される。
【００４８】
制御部１４は、照明器具３に接続されているバッテリー２が定格出力電圧ＤＣ１４．２ＶまたはＤＣ１３．２Ｖのバッテリー２Ｂと判定して、当該バッテリー２Ｂの基準値（ＤＣ１２Ｖ）を記憶部１３から選択する。そして、制御部１４は、電源入力端子１２ａ，１２ｂに印加するバッテリー２Ｂの出力電圧と、選択した前記基準値（ＤＣ１２Ｖ）を比較する。
【００４９】
そして、制御部１４は、バッテリー２Ｂの出力電圧が光源７の累積点灯時間に従って次第に低下していき、基準値（ＤＣ１２Ｖ）以下になると、リレー装置１０を制御して、点灯装置８の動作を停止させて、光源７を消灯させる。これにより、バッテリー２Ｂは、過放電が防止され、過放電による短寿命が防止される。
【００５０】
次に、照明器具３に接続するバッテリー２が定格出力電圧ＤＣ１２Ｖであるバッテリー２Ｃの場合には、電源ケーブル５Ｃの電源コネクタ２５Ｃに器具ケーブル４の接続コネクタ１９が接続される。
【００５１】
電源コネクタ２５Ｃの一対の電源入力部２８ａ，２８ｂと、接続コネクタ１９の一対の入力接続部２１ａ，２１ｂが接続することにより、バッテリー２Ｃの出力電圧が照明器具３の電源入力端子１２ａ，１２ｂに印加する。そして、照明器具３のスイッチ１５をオンにすると、バッテリー２Ｃの出力電圧は、点灯装置８に入力する。点灯装置８は、動作して、光源７を点灯させる。
【００５２】
また、電源コネクタ２５Ｃの信号接続部２９ａ，２９ｂと、接続コネクタ１９の通信接続部２２ａ，２２ｂが接続することにより、信号接続部２９ａ，２９ｂのそれぞれの電位は、特定信号として器具ケーブル４の通信線１８ａ，１８ｂにより、照明器具３の通信入力端子１６ａ，１６ｂを介してバッテリー電圧判定装置９の制御部１４に入力する。
【００５３】
信号接続部２９ｂは、抵抗Ｒ２を介して電源接続部２８ａ（電源線２３ａ）に接続され、電源線２３ｂに対して所定値例えばＤＣ４〜５Ｖの電位となっている。また、信号接続部２９ａは、電源接続部２８ａに接続されず、浮いた状態となって、電源線２３ｂに対してほぼ０Ｖの電位となっている。したがって、照明器具３の通信入力端子１６ａには、ほぼ０Ｖの特定信号が入力され、通信入力端子１６ｂには、所定値例えばＤＣ４〜５Ｖの特定信号が入力される。
【００５４】
制御部１４は、照明器具３に接続されているバッテリー２が定格出力電圧ＤＣ１２Ｖのバッテリー２Ｃと判定して、当該バッテリー２Ｃの基準値（ＤＣ１０Ｖ）を記憶部１３から選択する。そして、制御部１４は、電源入力端子１２ａ，１２ｂに印加するバッテリー２Ｃの出力電圧と、選択した前記基準値（ＤＣ１０Ｖ）を比較し、バッテリー２Ｃの出力電圧が基準値（ＤＣ１０Ｖ）以下になると、点灯装置８の動作を停止させて、光源７を消灯させる。これにより、バッテリー２Ｃは、過放電が防止され、過放電による短寿命が防止される。
【００５５】
上述したように、電源ケーブル５の電源コネクタ２５は、電源接続部２８ａとの電気接続の有無に応じて、点灯装置８に接続されたバッテリー２を特定する特定信号が設定されているので、電源コネクタ２５に器具ケーブル４の接続コネクタ１９を接続すると、照明器具３において、点灯装置８の動作を停止させるためのバッテリー２の出力電圧の基準値が自動的に設定される。したがって、バッテリー２の過放電を防止する設定に対して照明器具３とバッテリー２の適合性が向上するものである。
【００５６】
本実施形態のバッテリー式照明装置１によれば、電源ケーブル５の電源コネクタ２５と器具ケーブル４の接続コネクタ１９との接続により、照明器具３に接続されるバッテリー２を特定する特定信号が照明器具３のバッテリー電圧判定装置９に入力され、バッテリー電圧判定装置９は、当該バッテリー２の基準値を複数種のバッテリー２の基準値から選択して、バッテリー２の出力電圧が選択した基準値以下のときに点灯装置８の動作を停止させるので、照明器具３において、バッテリー２の過放電を防止するための前記基準値の設定をバッテリー２の種類毎に行う必要がなく、照明器具３とバッテリー２の適合性を向上できるという効果を有する。
【００５７】
また、本実施形態において、電源ケーブル５Ａ〜５Ｃは、その電源コネクタ２５Ａ〜２５Ｃにそれぞれ設けた表示部３０により、バッテリー２Ａ〜２Ｃの定格出力電圧が表示されているので、表示部３０を確認することにより、電源ケーブル５Ａ〜５Ｃを適合するバッテリー２Ａ〜２Ｃに容易に接続し、非適合のバッテリー２Ａ〜２Ｃに接続されにくくすることができるという効果を有する。
【００５８】
なお、本実施形態において、表示部３０は、バッテリー２の定格出力電圧を表示したものであればよく、シールに限らず、例えば銘板や荷札であってもよい。
【００５９】
また、点灯装置８を不動作にする以前に、警報の報知を行う報知手段を設けてもよい。これは、バッテリー２の電圧値が基準値近傍に達したことを検知することにより容易に実現できる。
【００６０】
次に、本発明の第２の実施形態について説明する。
【００６１】
本実施形態は、図３に示すように、バッテリー２Ａ〜２Ｃにそれぞれ電源ケーブル５Ｄ〜５Ｆが接続される。電源ケーブル５Ｄ〜５Ｆは、それらの電源コネクタ２５Ｄ〜２５Ｆの信号接続部２９ａ，２９ｂ間に、それぞれ抵抗Ｒ３〜Ｒ５が接続されている。ここで、抵抗Ｒ３は高抵抗値に、抵抗Ｒ４は中抵抗値に、抵抗Ｒ５は低抵抗値に設定されている。
【００６２】
そして、図１において、照明器具３のバッテリー電圧判定装置９の制御部１４は、通信入力端子１６ａ，１６ｂ間に定電圧例えばＤＣ５Ｖを出力するように形成されている。当該定電圧は、通信線１８ａ，１８ｂを介して接続コネクタ１９が接続する電源コネクタ２５Ｄ〜２５Ｆの信号接続部２９ａ，２９ｂ間に印加される。信号接続部２９ａ，２９ｂ間、すなわち、通信線１８ａ，１８ｂには、抵抗Ｒ３〜Ｒ５に応じた電流が流れる。制御部１４は、当該電流を検出するように形成されている。
【００６３】
制御部１４は、検出電流が低レベルの電流であると、照明器具３に接続されたバッテリー２が定格出力電圧ＤＣ２４Ｖのバッテリー２Ａであると判定し、記憶部１３に記憶されている基準値の内からバッテリー２Ａの基準値（ＤＣ２０Ｖ）を選択して設定する。また、検出電流が中レベルの電流であると、定格出力電圧ＤＣ１４，２ＶまたはＤＣ１３．２Ｖのバッテリー２Ｂが照明器具３に接続されていると判定し、バッテリー２Ｂの基準値（ＤＣ１２Ｖ）を選択して設定する。また、検出電流が高レベルの電流であると、定格出力電圧ＤＣ１２Ｖのバッテリー２Ｃが照明器具３に接続されていると判定し、バッテリー２Ｃの基準値（ＤＣ１０Ｖ）を選択して設定する。
【００６４】
このように、照明器具３のバッテリー電圧判定装置９は、器具ケーブル４の通信線１８ａ，１８ｂに流れる電流に応じて、複数種のバッテリー２のうちの点灯装置８に接続されたバッテリー２Ａ〜２Ｃを特定する特定信号を入力するものである。そして、本実施形態のバッテリー式照明装置１Ａは、第１の実施形態と同様な作用、効果を有するものである。
【００６５】
なお、電源ケーブル５Ｄは、その電源コネクタ２５Ｄの信号接続部２９ａ，２９ｂ間に抵抗Ｒ３を接続しないものであってもよい。バッテリー電圧判定装置９の制御部１４は、通信線１８ａ，１８ｂに電流が流れないことにより、照明器具３（点灯装置８）に接続されたバッテリー２が定格出力電圧ＤＣ２４Ｖのバッテリー２Ａであると判断してもよい。
【００６６】
また、上述した本発明の第１および第２の実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれるものである。
【符号の説明】
【００６７】
１…バッテリー式照明装置、  ２…バッテリー、  ３…照明器具、  ４…器具ケーブル、  ５…電源ケーブル、  ７…光源、  ８…点灯装置、  ９…バッテリー電圧判定装置、  １７ａ，１７ｂ…一対の入力線、  １８ａ，１８ｂ…通信線、  １９…接続コネクタ、  ２１ａ，２１ｂ…一対の入力接続部、  ２２ａ，２２ｂ…通信接続部、  ２３ａ，２３ｂ…一対の電源線、  ２５…電源コネクタ、  ２８ａ，２８ｂ…一対の電源接続部、  ２９ａ，２９ｂ…信号接続部
【図１】
2014086396.tif 000003
【図２】
2014086396.tif 000004
【図３】
2014086396.tif 000005